(57)【要約】      （修正有）【課題】特にデータをセーブ或いはロードすることにより、モニタに残金などの情報を表示することができるＩＣカードを提供する。【解決手段】本体１０と、該本体に設置される回路基板と、該回路基板に設置されるボタン５０と、該回路基板に設置されるモニタ回路基板と、モニタウェハと、モニタ８３と、を備えると共に、該ボタンを押圧すると残金を表示するモニタモジュールと、を有するものであり、さらに、乱数発生機能を付けているので、乱数番号を生じて決済の安全性を高めることができることを特徴とする。【選択図】図１
0003163493.tif 000002
【実用新案登録請求の範囲】
【請求項１】
プレート状を呈する本体と、
前記本体の上面に設置される回路基板と、
前記回路基板の上面に設置されると共に、データをセーブ及びロードすることができるデータセーブ用集積回路と、
前記データセーブ用集積回路と電気接続すると共に、前記回路基板に設置し、該電子装置のデータをセーブ或いはロードするための感応コイルと、
前記データセーブ用集積回路に電気接続すると共に、前記回路基板に設置することにより、使用者の押圧により生じた押圧信号を前記データセーブ用集積回路に伝送するボタンと、
前記回路基板と電気接続されるモニタ回路基板と、前記データセーブ用集積回路からの信号を受信して駆動信号を生じるように、該モニタ回路基板に設置されると共に、前記データセーブ用集積回路に電気接続されるモニタウェハと、該モニタウェハからの駆動信号を受信し、該データセーブ用集積回路のデータを表示するために、該モニタ回路基板に設置されると共に、該モニタウェハ及び感応コイルに電気接続されるモニタと、を備える、前記回路基板に設置されるモニタモジュールと、
前記ボタンと対応する押圧部と、透明プレート状を呈すると共に、前記モニタと対応する表示部とを備える、前記本体に設置される保護層と、を有することを特徴とするＩＣカード。
【請求項２】
前記モニタモジュールが電気泳動式のモニタモジュールであることを特徴とする請求項１に記載のＩＣカード。
【請求項３】
プレート状を呈する本体と、
前記本体の上面に設置される回路基板と、
前記回路基板の上面に設置され、データをセーブするためのデータセーブ用集積回路と、
前記回路基板に設置されると共に、乱数番号を発生させることができるマイクロコントローラと、
使用者の押圧により生じた押圧信号を前記マイクロコントローラに伝送することにより、該マイクロコントローラが乱数番号を生じられるように、前記マイクロコントローラに電気接続されると共に、前記回路基板に設置されるボタンと、
前記回路基板に電気接続されるモニタ回路基板と、前記マイクロコントローラからの乱数番号を受信するために前記回路基板に設置されると共に、該マイクロコントローラに電気接続されるモニタウェハと、乱数番号を表示するために該回路基板に設置されると共に、該モニタウェハに電気接続されるモニタと、該モニタに電気接続されるバッテリと、を備えるモニタモジュールと、
前記ボタンと対応する押圧部と、透明プレート状を呈すると共に、前記モニタと対応する表示部と、前記ウェハと対応するように、表面に穿設されるウェハ孔とを備える保護層とを有することを特徴とするＩＣカード。
【請求項４】
前記モニタモジュールが電気泳動式のモニタモジュールであることを特徴とする請求項３に記載のＩＣカード。
【考案の詳細な説明】
【技術分野】
【０００１】
本考案は、特にデータをセーブ或いはロードでき、モニタに残金などの情報を表示することができるＩＣカードに関するものである。
【背景技術】
【０００２】
通常のＩＣカードは、データのセーブやロードの方法が感応式と接触式の二種類に分けられており、その内、感応式のＩＣカードは、センサによって、ＭＲＴ（Ｍａｓｓ  Ｒａｐｉｄ  Ｔｒａｎｓｉｔ）などのプリペイドカードや電子財布などを使えるようにしたものであり、一方、接触式のＩＣカードは、現金自動預け払い機（ＡＴＭ）などに使うキャッシュカードやクレジットカードなどに用いるものである。
【考案の概要】
【考案が解決しようとする課題】
【０００３】
しかしながら、従来のＩＣカードにはモニタが設置されていないことから、残金などの情報を表示することは不可能であるので、使用者にとって非常に不便であった。さらに、現在のキャッシュカードやクレジットカードなどを使用する時には、決済の安全性を高めるために、個人的な乱数発生器を持つことが必要であり、使用時にも携帯する時にも非常に不便であった。
【課題を解決するための手段】
【０００４】
本願の請求項１の考案は、プレート状を呈する本体と、
前記本体の上面に設置される回路基板と、
前記回路基板の上面に設置されると共に、データをセーブ及びロードすることができるデータセーブ用集積回路と、
前記データセーブ用集積回路と電気接続すると共に、前記回路基板に設置し、該電子装置のデータをセーブ或いはロードするための感応コイルと、
前記データセーブ用集積回路に電気接続すると共に、前記回路基板に設置することにより、使用者の押圧により生じた押圧信号を前記データセーブ用集積回路に伝送するボタンと、
前記回路基板と電気接続されるモニタ回路基板と、前記データセーブ用集積回路からの信号を受信して駆動信号を生じるように、該モニタ回路基板に設置されると共に、前記データセーブ用集積回路に電気接続されるモニタウェハと、該モニタウェハからの駆動信号を受信し、該データセーブ用集積回路のデータを表示するために、該モニタ回路基板に設置されると共に、該モニタウェハ及び感応コイルに電気接続されるモニタと、を備える、前記回路基板に設置されるモニタモジュールと、
前記ボタンと対応する押圧部と、透明プレート状を呈すると共に、前記モニタと対応する表示部とを備える、前記本体に設置される保護層と、を有することを特徴とするＩＣカード、を提供する。
【０００５】
本願の請求項２の考案は、前記モニタモジュールが電気泳動式のモニタモジュールであることを特徴とする請求項１に記載のＩＣカード、を提供する。
【０００６】
本願の請求項３の考案は、プレート状を呈する本体と、
前記本体の上面に設置される回路基板と、
前記回路基板の上面に設置され、データをセーブするためのデータセーブ用集積回路と、
前記回路基板に設置されると共に、乱数番号を発生させることができるマイクロコントローラと、
使用者の押圧により生じた押圧信号を前記マイクロコントローラに伝送することにより、該マイクロコントローラが乱数番号を生じられるように、前記マイクロコントローラに電気接続されると共に、前記回路基板に設置されるボタンと、
前記回路基板に電気接続されるモニタ回路基板と、前記マイクロコントローラからの乱数番号を受信するために前記回路基板に設置されると共に、該マイクロコントローラに電気接続されるモニタウェハと、乱数番号を表示するために該回路基板に設置されると共に、該モニタウェハに電気接続されるモニタと、該モニタに電気接続されるバッテリと、を備えるモニタモジュールと、
前記ボタンと対応する押圧部と、透明プレート状を呈すると共に、前記モニタと対応する表示部と、前記ウェハと対応するように、表面に穿設されるウェハ孔とを備える保護層とを有することを特徴とするＩＣカード、を提供する。
【０００７】
本願の請求項４の考案は、前記モニタモジュールが電気泳動式のモニタモジュールであることを特徴とする請求項３に記載のＩＣカード、を提供する。
【考案の効果】
【０００８】
本考案に係るＩＣカードは上記の課題を解決するものであり、データをセーブ或いはロードでき、モニタに残金などの情報を表示することができる。
【図面の簡単な説明】
【０００９】
【図１】本考案に係るＩＣカードの第１実施例の斜視図である。
【図２】本考案に係るＩＣカードの第１実施例の分解斜視図である。
【図３】本考案に係るＩＣカードの第１実施例の使用状態を示す斜視図である。
【図４】本考案に係るＩＣカードの第２実施例の斜視図である。
【図５】本考案に係るＩＣカードの第２実施例の分解斜視図である。
【図６】本考案に係るＩＣカードの第２実施例の使用状態を示す斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るＩＣカードの第１実施例の斜視図であり、図２は本考案に係るＩＣカードの第１実施例の分解斜視図であり、図３は本考案に係るＩＣカードの第１実施例の使用状態を示す斜視図であり、図４は本考案に係るＩＣカードの第２実施例の斜視図であり、図５は本考案に係るＩＣカードの第２実施例の分解斜視図であり、図６は本考案に係るＩＣカードの第２実施例の使用状態を示す斜視図である。
【００１２】
図１及び図２を示すように、本考案に係るＩＣカードの第１実施例は、本体（１０）と、回路基板（２０）と、データセーブ用集積回路（３０）と、感応コイル（４０）と、ボタン（５０）と、ウェハ（６０）と、マイクロコントローラ（７０）と、モニタモジュール（８０）と、保護層（９０）と、を有するものである。
【００１３】
前記本体（１０）は、長方形のプレート状を呈するものであり、前記回路基板（２０）は、該本体（１０）の上面中央に設置されると共に、柔軟で頑丈なものであり、また、前記データセーブ用集積回路（３０）は、該回路基板（２０）の上面に設置されると共に、データをセーブするものである。
【００１４】
前記感応コイル（４０）は、前記情報記憶集積回路（３０）を包囲すると共に、前記情報記憶集積回路（３０）と電気接続されるように、前記回路基板（２０）における略直方形の周囲に沿って形成されるものであり、感知的な電子装置と電気接続され、該電子装置のデータをセーブ或いはロードすることができる。尚、前記データセーブ用集積回路（３０）と感応コイル（４０）は周知技術であるので、それらの説明を省略する。
【００１５】
前記ボタン（５０）は、前記データセーブ用集積回路（３０）と電気接続される共に、該データセーブ用集積回路（３０）の近傍における前記回路基板（２０）に設置され、使用者が該ボタン（５０）を押圧すると、その押圧を告知する信号が該データセーブ用集積回路（３０）に伝送される。
【００１６】
前記モニタモジュール（８０）は、前記回路基板（２０）の右側に設置され、該回路基板（２０）と電気接続されるモニタ回路基板（８１）と、該モニタ回路基板（８１）に設置されると共に、前記情報記憶集積回路（３０）に電気接続され、前記データセーブ用集積回路（３０）から信号を受信して駆動信号を発生させるモニタウェハ（８２）と、該モニタ回路基板（８１）に設置されると共に、該モニタウェハ（８２）及び感応コイル（４０）と電気接続され、該モニタウェハ（８２）からの駆動信号を受信し、該データセーブ用集積回路（３０）のデータ（例えば：残金）を表示するモニタ（８３）と、を備え、前記モニタ（８３）は、前記感応コイル（４０）が電子装置により感応した時に発生した感応電流によって、電源を蓄えることができる。尚、前記モニタモジュール（８０）は、電気泳動式のモニタモジュールであることが好ましい。
【００１７】
前記保護層（９０）は、前記本体（１０）と同様の形状を呈し、前記回路基板（２０）と、前記データセーブ用集積回路（３０）と、前記感応コイル（４０）と、前記ボタン（５０）と、前記モニタモジュール（８０）とを被覆すると共に、熱圧着の技術によって該本体（１０）に設置され、押圧部（９１）と、表示部（９２）と、を備え、そのうち、該押圧部（９１）は、該ボタン（５０）と対応すると共に、その範囲は該ボタン（５０）より大きく、該ボタン（５０）を押圧することができるものであり、該表示部（９２）は、前記モニタ（８３）と同一の透明プレート状を呈し、該モニタ（８３）と対応すると共に、前記モニタ（８３）に、使用者が必要な情報を表示することができるものである。
【００１８】
図３を示すように、本考案に係るＩＣカードの第１実施例を使用する時は、使用者が押圧部（９１）からボタン（５０）を押圧してその押圧信号をデータセーブ用集積回路（３０）に伝送すると共に、該データセーブ用集積回路（３０）によりデータをモニタ（８３）に送信することにより、モニタ（８３）に、残金などの、使用者が必要とする情報を表示する。
【００１９】
図４及び図５を示すように、本考案に係るＩＣカードの第２実施例は、本体（１０）と、回路基板（２０）と、ウェハ（６０）と、マイクロコントローラ（７０）と、ボタン（５０）と、モニタモジュール（８０）と、保護層（９０）と、を有するものである。
【００２０】
その内、前記本体（１０）と、回路基板（２０）と、ボタン（５０）は、第１実施例と同一であるので、それらの説明は省略する。前記ウェハ（６０）は、該回路基板（２０）の右側に設置され、読み取り機や現金自動預け払い機（ＡＴＭ）などに挿入することにより、データなどをセーブ或いはロードすることができる。
【００２１】
前記マイクロコントローラ（７０）は、前記回路基板（２０）の中央に設置されると共に、前記ボタン（５０）と電気接続されるので、該ボタン（５０）が押圧され、その押圧信号を受信すると、乱数番号を発生させる。
【００２２】
前記モニタモジュール（８０）は、前記第１実施例と略同一であり、モニタ回路基板（８１）と、前記マイクロコントローラ（７０）と電気接続されると共に、該マイクロコントローラ（７０）からの乱数番号を受信するモニタウェハ（８２）と、モニタ（８３）と、該モニタ（８３）と電気接続されるバッテリ（８４）と、を備えるものである。
【００２３】
更に、前記保護層（９０）は、前記第１実施例と略同一であり、押圧部（９１）と、表示部（９２）と、前記ウェハ（６０）と同様の形状を呈すると共に、記ウェハ（６０）と対応する、表面に穿設されるウェハ孔（９３）とを備えるものである。
【００２４】
図６を示すように、本考案に係るＩＣカードの第２実施例を使用する時は、使用者が押圧部（９１）からボタン（５０）を押圧し、その押圧信号をマイクロコントローラ（７０）に伝送すると共に、マイクロコントローラ（７０）が発生した乱数番号をモニタ（８３）に送信することにより、モニタ（８３）にこの乱数番号を表示する。このように、本考案に係るＩＣカードの第２実施例には、乱数番号を発生させる機能を有するので、インターネットでの決済の安全性を向上させることができると共に、わざわざ乱数発生機を携帯しなくてもよい。
【産業上の利用可能性】
【００２５】
本考案は上記の構成を有するので、データをセーブ或いはロードすることにより、モニタに残金などの情報を表示することができる。
【符号の説明】
【００２６】
１０  本体
２０  回路基板
３０  データセーブ用集積回路
４０  感応コイル
５０  ボタン
６０  ウェハ
７０  マイクロコントローラ
８０  モニタモジュール
８１  モニタ回路基板
８２  モニタウェハ
８３  モニタ
８４  バッテリ
９０  保護層
９１  押圧部
９２  表示部
９３  ウェハ孔
【図１】
0003163493.tif 000003
【図２】
0003163493.tif 000004
【図３】
0003163493.tif 000005
【図４】
0003163493.tif 000006
【図５】
0003163493.tif 000007
【図６】
0003163493.tif 000008
【手続補正書】
【提出日】平成22年5月7日(2010.5.7)
【手続補正１】
【補正対象書類名】実用新案登録請求の範囲
【補正対象項目名】請求項１
【補正方法】変更
【補正の内容】
【請求項１】
プレート状を呈する本体と、
前記本体の上面に設置される回路基板と、
前記回路基板の上面に設置されると共に、データをセーブ及びロードすることができるデータセーブ用集積回路と、
前記データセーブ用集積回路と電気接続すると共に、前記回路基板に設置される感応コイルと、
前記データセーブ用集積回路に電気接続すると共に、前記回路基板に設置することにより、使用者の押圧により生じた押圧信号を前記データセーブ用集積回路に伝送するボタンと、
前記回路基板と電気接続されるモニタ回路基板と、前記データセーブ用集積回路からの信号を受信して駆動信号を生じるように、該モニタ回路基板に設置されると共に、前記データセーブ用集積回路に電気接続されるモニタウェハと、該モニタウェハからの駆動信号を受信し、該データセーブ用集積回路のデータを表示するために、該モニタ回路基板に設置されると共に、該モニタウェハ及び感応コイルに電気接続されるモニタと、を備える、前記回路基板に設置されるモニタモジュールと、
前記ボタンと対応する押圧部と、透明プレート状を呈すると共に、前記モニタと対応する表示部とを備える、前記本体に設置される保護層と、を有することを特徴とするＩＣカード。
【手続補正２】
【補正対象書類名】明細書
【補正対象項目名】０００４
【補正方法】変更
【補正の内容】
【０００４】
本願の請求項１の考案は、プレート状を呈する本体と、
前記本体の上面に設置される回路基板と、
前記回路基板の上面に設置されると共に、データをセーブ及びロードすることができるデータセーブ用集積回路と、
前記データセーブ用集積回路と電気接続すると共に、前記回路基板に設置される感応コイルと、
前記データセーブ用集積回路に電気接続すると共に、前記回路基板に設置することにより、使用者の押圧により生じた押圧信号を前記データセーブ用集積回路に伝送するボタンと、
前記回路基板と電気接続されるモニタ回路基板と、前記データセーブ用集積回路からの信号を受信して駆動信号を生じるように、該モニタ回路基板に設置されると共に、前記データセーブ用集積回路に電気接続されるモニタウェハと、該モニタウェハからの駆動信号を受信し、該データセーブ用集積回路のデータを表示するために、該モニタ回路基板に設置されると共に、該モニタウェハ及び感応コイルに電気接続されるモニタと、を備える、前記回路基板に設置されるモニタモジュールと、
前記ボタンと対応する押圧部と、透明プレート状を呈すると共に、前記モニタと対応する表示部とを備える、前記本体に設置される保護層と、を有することを特徴とするＩＣカード、を提供する。